【事件の表示】
　平成　８年特許願第　９８５３２号「画像形成装置」拒絶査定不服審判事件〔平成　９年１０月３１日出願公開、特開平　９−２８４４５６〕について、次のとおり審決する。
【結　論】
　本件審判の請求は、成り立たない。
【理　由】
１．手続きの経緯
　本願は、平成８年４月１９日に出願されたものであって、平成１６年１２月１７日付けで拒絶査定がされ、これに対して平成１７年１月２６日に拒絶査定不服審判が請求されると同時に手続補正がなされたものである。
　
２．平成１７年１月２６日付けの手続補正についての補正却下の決定
［補正却下の決定の結論］
　平成１７年１月２６日付けの手続補正を却下する。
［理由］
（１）補正後の本願発明
　平成１７年１月２６日日付けの手続補正により、特許請求の範囲の請求項１は、
　「【請求項１】　シートに関する長さ情報を数値入力可能とする入力画面を表示する表示手段と、
　前記数値入力される長さ情報の単位系を異なる単位系に切り換え指示する指示手段と、
　前記指示手段による指示に基づいて前記表示手段に表示される入力画面を切り換え指示された単位系に応じた入力画面に切換え表示する制御手段とを有し、
　前記シートに関する長さ情報は、綴じ代の長さであることを特徴とする画像形成装置。」
と補正された。
　
　前記補正は、補正前の請求項１に記載した発明を特定するために必要な事項を限定するための補正であり、特許法第１７条の２第４項第２号の特許請求範囲の減縮を目的とするものに該当する。
　そこで、本件補正後の前記請求項１に記載された発明（以下、「本願補正発明」という。）が特許出願の際独立して特許を受けることができるものであるか、すなわち特許法第１７条の２第５項において準用する同法第１２６条第５項の規定に適合するかどうかについて以下に検討する。
　　
（２）引用刊行物
　原審が拒絶の理由に引用した特開平３−５４９７０号公報（平成３年３月８日出願公開。以下、「引用例１」という。）には、図面と共に次の各記載がある。
　
（ア）「［産業上の利用分野］
　
本発明は，入力された画像信号に各種処理を施して印刷手段に出力することができる画像処理システムにおける処理用数値の入力方式に関する
［発明の概要］
　画像処理システムにおいて、画像ソ−スから入力され、画像信号処理手段にロ−ドされた画像信号に対して、
印刷サイズの設定処理等の画像信号処理を行なう際には、例えばサイズを指定する数値等の処理値を入力する必要があるが、本発明の画像処理システムの処理入力方式では、複数の数値単位を用意した入力手段を設け、その中から任意に選択した所望の単位に対応した数値で処理値入力を行なうことができるようにする。そして、選択された単位に対応して入力された処理値を、他の単位に対応する数値に換算する換算手段を設け、画像信号処理手段に対しては、処理値入力時に選択された単位にかかわらず、画像信号処理時に使用されている所定の単位に対応する数値で入力された処理値を供給することができるようにする。さらに、画面表示手段において入力処理値とともに各単位に換算した数値も表示するようした
［従来の技術］
　テレビカメラ、ビデオデイスク、スチルカメラ等の映像ソ−スからｌフレ−ム分の映像信号（静止画像）を画像処理装置部に入力し、
画像処理装置部において入力画像信号に対して各種処理を施して所望の印刷用画像信号を生成し、プリンタ等の印刷手段に供給されて印刷がなされるようにした印刷用静止画像処理システムが開発されている
　第７図は画像処理システムの一例を示すブロック図であり、ｌはテレビカメラ等から得られる映像信号から１画面分の映像信号（静止画）を出力する画像信号出力部であり、例えばＹ／Ｃ信号で出力された静止画像信号は画像処理装置部２に入力され、処理制御コンソ−ル２Ａからの操作に基づいて画像信号処理が行なわれる。画像処理内容としては、入力された原静止画像信号に対して、ノイズ低減処理、輝度或は彩度調整，各種画像変換処理（拡大・縮小、回転，画サイズ変更等）、Ｙ／Ｃ信号補正など各種行なわれている。
　３はプリンタであり、このプリンタ３には、画像処理装置部２において、画像処理終了後に例えばＣ／Ｍ／Ｙ／Ｋ　（シアン、マゼンタ、イエ口−、ブラック）の各印刷用色信号に変換されて出力された信号が供給され、１枚のカラ−画像印刷が実行される。
　ところで、このような印刷用画像処理システムにおいて、上記したような画像変換処理を行なう場合は、
例えば第８図に示すような、印刷時の画サイズ（入力表示部ａ）、拡大率（入力表示部ｂ）、走査線間隔値（入力表示部Ｃ）、画面中心位置（入力表示部ｄ）、回転角（入力表示部ｅ）を設定して入力する画面が処理制御コンソ−ル２Ａの制御用ディスプレイに表示され、オペレ−タが必要な処理値を入力していくことによって、画像処理装置部２において指定された画像変換処理が行なわれる。
印刷画サイズの処理を行なう（入力表示部ａに数値入力を行なう）際
高さ
幅
画サイズをｈ×ｗに変更する
斜線部Ｙに含まれる画像信号を余白信号
に変換する処理
入力された原画像信号を印刷に適するように所望の態様の画像に変換する
［発明が解決しようとする問題点］
　ところで、上記した
画サイズ変換処理
　一方、
印刷業界においては、画像サイズの単位としては、ミリ以外にポイント（ｐoｉｎｔ）、パイカ（ｐｉｃａ）も通常に使用されており、さらに印刷業界に限らず海外ではインチ（ｉｎｃｈ）を主に使用する国もある
　
このため、画像処理を行なう際に、オペレ−タに対してミリ以外の単位で印刷画サイズ等の指定がされ、処理が要請される場合も多々あり、オペレータはその都度、ミリ単位の数値に電卓等で換算してから数値入力を行なわなければならないという不便が生じ、また換算時の計算ミスに起因する入力ミスが発生し易いという問題点があつた
［問題点を解決するための手段］
　本発明はこのような問題点にかんがみてなされたもので、
画像処理システムにおいて、その処理値の入力方式として、用意された複数種類の入力数値の単位の中から任意の単位を選択して、印刷画サイズ等を設定する処理値を入力することができる入力手段と、入力に使用された単位を判別する単位判別手段と、入力された処理値を判別された単位以外の単位に対応する数値に換算することができる換算手段とを備え、画像信号処理手段に対しては、処理値入力時に選択された単位にかかわらず、画像信号処理用の所定単位に対応する数値を印刷サイズ指定数値等の実際の処理値として供給するようする。そしてさらに、入力された処理値とともに、換算手段によつて各単位に対応するように換算された数値を表示する表示手段も備えるように構成したものである
［作用］
　上記のように構成されることにより、
用意された複数の単位の中からオペレ−タによつて任意に選択された単位に対応して入力された処理値は、換算手段によって他の単位に換算され、換算数値が表示されるとともに、画像処理手段に対しては入力時の使用単位にかかわらず、演算処理に使用する所定の単位に基づいた数値が供給されるように制御することができる
　なお、下線は審決において附された。以下同様。
　
（イ）「画像処理を行なう場合は、まず処理を行なう画像デ−タを入力画像メモリ３２からＣＰＵ３３内にロ−ドし（Ｆ１００）、また
コンソ−ル４０の制御用ディスプレイ４１には各種処理内容を示した処理制御用画面を、例えばメニュ−形式で表示する（Ｆ１０１）。　オペレータが、実行すべき処理内容を選択してキ−ボ−ド４２或はマウス４３から入力することによって処理内容が決定され（Ｆ１０２）、処理が実行される
　Ｆｌ０３において或る処理を施された画像信号は、オペレ−タが処理確認を行なうことができるように、モニタ４４に供給されて表示される（Ｆ１０４）。そして、さらに他の処理を行なう場合はオペレ−タの操作によつて再び処理選択がなされる（Ｆｌ０５→Ｆｌ０２）。
　必要な画像処理をすべて終えた段階で、Ｙ／Ｃ信号で形成される画像信号は印刷用にＣ／Ｍ／Ｙ／Ｋの信号に変換され（Ｆ１０６）、出力デ−タとして出力画像メモリ３４に記憶される（Ｆｌ０７）。
そして、必要に応じて自動的に或はコンソ−ル４０からの操作によって印刷装置部５０に出力され、Ｃ、Ｍ、Ｙ、Ｋの４色の画像信号によって１画像のカラ−印刷が実行される
　第１図の画像処理システムは、以上の処理を行なう画像処理装置部３０を備えることにより，画像デ−タ（Ｙ／Ｃ）に基づいて所望の印刷画像を得ることができるようになされている。」（第４頁右上欄第６行〜同頁右下欄第１行）
　
（ウ）「次に、このような印刷用画像処理システムにおいて採用することができる
本発明のデ−タ入力処理方式について説明する
　本発明のデ−タ入力方式は、特に上記した第３図のフロ−チャ−トにおけるＦ１０３ａに示す画像変換処理を実行する場合に有用な方式であり、第４図にその一実施例の機能ブロック図を示す。
　一点鎖線部内の各ブロックはＣＰＵ３３内においてソフトウエア手段によって形成される機能ブロックであり、ＣＰＵ３３に画像変換処理のための数値（処理値）を入力する手段としてキ−ボ−ド４２及びマウス４３を示す。また表示手段として制御用ディスプレイ４１を示す。
　
６ｌはマウス４３等によって選択された入力数値の単位を検出する選択単位判別手段
６２は入力された処理値を検出する処理値検出手段
６３は入力された処理値及びその単位に基ずいて演算を行ない、処理値を他の単位に対応する数値に換算する換算手段
６４は各単位に対応する数値に換算された数値デ−タを制御用ディスプレイ４ｌに表示するための表示制御手段
６５は選択単位判別手段６ｌにおいて判別された単位に従って切り換えられるスイッチ手段
６６は前記第３図のフロ−チャ−トに示したような各種画像処理を行なう画像処理手段
　まず、前記第３図のＦ１０３ａに示す画像変換処理が実行される場合、
制御用ディスプレイ４１には例えば第５図に示すような処理値入力画面が表示され、オペレ−タは前述した第８図の入力画面と同様な入力動作を行なう
画サイズの設定を行なうための数値入力部ａとしては、高さ及び幅それぞれ４つの単位（パイ力、ポイント、ミリ、インチ）に対応する入力部（　ａ
１１
〜ａ
１４
、ａ
２１
〜ａ
２４
）が設けられる
　
オペレ−タはこのような画サイズ設定の入力画面に対して、高さ、幅ともに所望の単位を選択して数値を入力すればよい
　まず上記第５図の入力画面が表示され、画サイズ設定のために或る数値が入力されると（Ｆ２００〜Ｆ２０２）、
選択単位判別手段６１によつてどの単位に対応する数値デ−タが入力されたかが判別される（Ｆ２０３）
　高さデ−タが、例えば
パイカ単位で入力された
ことが検出されると
把握された処理値ｘ
ｐｉ
が換算手段６３に供給され
インチ、ミリ、ポイントの各単位に対応する数値（Ｘ
ｉ
、Ｘ
ｍ
、Ｘ
ｐｏ
）に換算される
　
換算手段６３によって、入力されたパイカ単位の処理値ｘ
ｐｉ
から他の各単位の数値（ｘ
ｐｏ
、ｘ
ｍ
、ｘ
ｉ
）が得られると、これらの換算数値は表示制御手段６４に送られ、制御用ディスプレイ４１において前記第５図の入力画面のａ
１２
、ａ
１３
、ａ
１４
にそれぞれ表示される（Ｆ２０８ａ）
　Ｆ２０３においてポイント、ミリ、或はインチの単位が検出されたときは、それぞれ上記したパイカの場合と同様に、他の単位に対応する数値に換算され表示されることになる（ポイント：Ｆ２０４ｂ〜Ｆ２０８ｂ，ミリ：Ｆ２０４ｃ〜Ｆ２０８ｃ，インチ：Ｆ２０４ｄ〜Ｆ２０８ｄ　）。
　そして画サイズ設定入力が終了すると、入力された処理値が画像処理手段６６に供給されるが、
本実施例では画像処理演算はミリ単位の数値に対応して実行されるため、入力がミリ単位でなされていた場合のみスイッチ手段６５がｐ接点接続状態になり入力処理値がそのまま画像処理手段６６に供給される。しかし、他の単位で処理値が入力された場合はｑ接点が接続され、換算手段６３によってミリ単位に換算された数値が供給される（Ｆ２０９）
　なお、処理デ−タ（高さ及び幅サイズ）が画像処理手段６６に供給された後は、該数値に基ずいて、原画像信号の画サイズ変換処理がなされ、例えば前記第９図（ｂ）に示したような処理後の画像がコンソ−ル４０の処理画像モニタ４４に表示されることになり、第３図のフロ−チャ−トのＦ１０４から、引き続き処理動作がなされることになる。
　以上のように、
本実施例の処理入力方式は、或る単位が選択されて入力された処理値に対して他の単位に対応する数値に換算を行ない、入力した処理値とともに表示する
画像変換演算時の単位として設定されている所定の単位（例えばミリ）以外の単位による数値が入力されても、画像処理手段６６に対しては所定の単位に換算した数値を出力することができるため、オペレ−タに対して例えばポイント単位の数値で印刷画サイズの処理が要請されたような場合でも、いちいちミリ単位に換算してから処理値を入力する必要はなくなり、処理作業は容易になる
　なお、このように複数用意された単位のうち所望の単位を選択して、数値を入力することができるデ−タ入力方式は、画サイズ変換時のみならず、各種他の処理を実行する際の処理値入力方式として応用可能であることはいうまでもない。
［発明の効果］
　以上説明してきたように、本
発明の画像処理システムの処理入力方式は、用意された各種単位のうち一つを選択して処理値を入力することができるようになされているため、処理値入力時に、オペレ−タがわざわざ単位の換算を行なう必要はなくなり、作業効率を向上させることができ、また換算時の計算ミスに起因する入力ミスも解消することができるという効果がある
　
　以上の記載からみて、引用例１には、次のような発明が記載されているものと認められる。
　「入力された画像信号に対して画像変換のための処理値を設定し入力することにより、該処理値に従って所定の画像変換処理を行ない、印刷用画像信号として印刷手段に出力することができる画像信号処理手段を備えた画像処理システムにおいて、
　用意された複数種類の入力数値単位の中から任意の単位を選択して前記処理値を入力することができる入力手段と；
　前記入力手段から処理値を入力する際に選択されて使用された単位を判別する単位判別手段と；
　入力された処理値を、前記単位判別手段によつて判別された単位以外の単位に対応する数値に換算することができる換算手段と；
　前記入力手段によつて入力された処理値とともに、前記換算手段によつて各単位に対応するように換算された数値を表示手段とを備え、
　前記画像信号処理手段に対しては、処理値入力時に選択された単位にかかわらず、演算処理用の所定の単位に対応する数値で入力された処理値を供給することができるようにした画像処理システムの処理入力方式。」
　
（３）対比
　本願補正発明と引用例１に記載された発明を対比する。
　引用例１に記載された発明は、前掲（ア）の［産業上の利用分野］と［発明の概要］に記載されたとおり入力された画像信号を、印刷サイズなどを指定する数値にしたがって印刷手段に出力することを前提とし、印刷は、印刷用紙すなわち「シート」に印刷することによりなされるから、引用例１に記載された「印刷サイズなどを指定する数値」は、「シートに関する長さ情報といえる。そして、引用例１に記載された発明の「制御用ディスプレイ４１及び処理画像モニタ４４」は、本願補正発明の「入力画面を表示する表示手段」に相当し、引用例１に記載された発明の「選択単位判別手段６１、処理検出手段６２、換算手段６３、及び選択単位判別手段６１において判別された単位に従って切り換えられるスイッチ手段６５」は、本願補正発明の「入力された単位系を異なる単位系に切り換え指示する手段」に相当し、引用例１に記載された発明の「画像処理手段６６」は、本願補正発明の「画像形成装置」に相当することは、明らかである。
　
　そして、引用例１には、
(i)「ところで、このような印刷用画像処理システムにおいて、上記したような画像変換処理を行なう場合は、例えば第８図に示すような、印刷時の画サイズ（入力表示部ａ）、拡大率（入力表示部ｂ）、走査線間隔値（入力表示部Ｃ）、画面中心位置（入力表示部ｄ）、回転角（入力表示部ｅ）を設定して
入力する画面が処理制御コンソ−ル２Ａの制御用ディスプレイに表示され、オペレ−タが必要な処理値を入力していくことによって、画像処理装置部２において指定された画像変換処理が行なわれる
(ii)「画像処理を行なう場合は、まず処理を行なう画像デ−タを入力画像メモリ３２からＣＰＵ３３内にロ−ドし（Ｆ１００）、また
コンソ−ル４０の制御用ディスプレイ４１には各種処理内容を示した処理制御用画面を、例えばメニュ−形式で表示する（Ｆ１０１
　
オペレータが、実行すべき処理内容を選択してキ−ボ−ド４２或はマウス４３から入力することによって処理内容が決定され（Ｆ１０２）、処理が実行される
　
Ｆｌ０３において或る処理を施された画像信号は、オペレ−タが処理確認を行なうことができるように、モニタ４４に供給されて表示される（Ｆ１０４）
　との記載がなされており、これらの記載からみるに、引用例１には、印刷処理に必要な数値等を入力する画面がメニュー形式でコンソ−ル４０の制御用ディスプレイ４１に表示され、オペレータは実行すべき処理内容を選択して、必要な情報及びデータを入力することが記載されているから、本願補正発明と引用例１に記載された発明とは、
　「シートに関する長さ情報を数値入力可能とする入力画面を表示する表示手段」
を有する点で差異はない。
　
　また、引用例１には、印刷サイズ数値単位系を異なる単位系に切り換えることが記載されている（前掲（ウ）参照。）から、本願補正発明と引用例１に記載された発明とは、
　「前記数値入力される長さ情報の単位系を異なる単位系に切り換え指示する指示手段」
を有する点で差異はない。
　
　そして、引用例１に記載された発明における印刷時の画サイズを表す情報ｈ（ｍｍ）×ｗ（ｍｍ）は、印刷範囲と非印刷範囲を示す情報であり（前掲（ア）及び（ウ）参照。）、また、本願補正発明の綴じ代の長さ情報も印刷範囲と非印刷範囲を示す情報であるから、本願補正発明と引用例１に記載された発明とは、
　「シートに関する長さ情報は、印刷範囲と非印刷範囲を示す情報」
である点で差異はない。
　そうすると、本願補正発明と引用例１に記載された発明とは、
（一致点）
　「シートに関する長さ情報を数値入力可能とする入力画面を表示する表示手段と、
　前記数値入力される長さ情報の単位系を異なる単位系に切り換え指示する指示手段とを有し、
　前記シートに関する長さ情報は、印刷範囲と非印刷範囲を示す情報である画像形成装置。」
である点で一致し、次の各点で相違する。
　
（相違点１）
　本願補正発明は、異なる単位系毎に入力画面を切り換えて数値入力を受け付けているのに対して、引用例１に記載された発明は、同一の入力画面上に、異なる単位系それぞれに対応する画像入力部ａを設け、単位系が相違しても入力画面を切り換えることなく連続的に数値入力を受け付けている点。
　
（相違点２）
　本願補正発明では、シートにおける印刷範囲と非印刷範囲を示す情報が、綴じ代の長さを示す情報であるのに対して、引用例１に記載された発明では、印刷サイズ指定数値は、例えば、画サイズを表す高さ（ｈ）及び幅（ｗ）情報等である点。
　
（４）判断
（相違点１について）
　上記相違点１について判断するに、
(i)入力用のメニュー画面等をどのように構成するかは、注文仕様及び置かれた技術的状況等に応じて設計者が適宜なすべき設計上の任意事項であることは、情報処理及び画像処理の技術分野において広く受け容れられている当業者の共通認識である。
(ii)また、入力情報の種類及び入力内容の相違に応じて、入力用のメニュー画面の入力形式を適切なものに変え、ユーザーの入力操作の便宜を図ることは、当業者ならずとも一般のパーソナルコンピュータのユーザーが日常的に経験している自明な技術常識である。
(iii)引用例１に記載された入力方式は、同一の入力画面に各単位系にそれぞれ対応する複数の画像入力部ａ１１，ａ１２，ａ１３，ａ１４；ａ２１，ａ２２，ａ２３，ａ２４を設け、入力される数値の単位系が相違しても入力画面を切り換えることなく、オペレータの連続的な入力操作を可能とし、その操作性を向上させたものであるが、勿論、上記(i)及び(ii)に述べた如く、単位系毎に入力画面を切り換えるように構成することも良く行われる設計仕様の一つであり、両者の差異は設計上の微差にすぎない。
(iv)そして、原審が拒絶の理由に引用した特開平５−２５７９２７号公報には、
(a)「【０００７】
新規に文書を入力する際、制御手段１０は入力手段２０を使用して、オペレータが指示する単位系を入力する
制御手段１０は表示手段３０を使用して文書の入力画面を表示後（図４，４２）、入力手段２０を使用した文字データや単位系に従った値での文字大きさ等の校正機能データの入力を可能とする
制御手段１０は表示手段３０を使用して編集データを表示
(b)「【００１６】
制御手段１は、入力手段２を使用して、校正する文書と校正時に使用する単位系をオペレータに入力させ
オペレータが指示した単位系
文字大きさや行ピッチ等の文書校正時に使用するような単位系に関する箇所すべてを、すべての単位系の変換する値が１対１で格納されている単位系切り換えテーブル７に従って変換し（図２，Ｓ２４）、変換した結果を報告する
制御手段１は
、表示手段３を呼ぶ。表示手段３は文書データを表示
オペレータが指示した単位系で文書の校正が可能となる
　との記載がなされており、これらの記載からみて、オペレータが単位系を指示すると、指示した単位系に対応する入力画面の表示がなされることは明白である。
　以上、(i)〜(iv)に示される周知技術事項を踏まえると、引用例１に記載された発明に上記周知技術事項を適用して、本願発明の如く構成することは、当業者が適宜なし得ることである。
　
（相違点２について）
　上記相違点２について判断するに、ワード（マイクロソフトのWORD）や一太郎等を搭載したパソコン又は文書作成装置を使用している一般ユーザー、及び市販の複写機を使用している一般ユーザーが日常的に経験しているように、印刷シートに対して上下左右の印刷マージン（印刷シートにおける印刷可能領域と非印刷領域のこと）を設定すること及び印刷用紙や複写用紙を綴じるための綴じ代を設定することは、通常行われている自明な技術常識であり、シートに関する長さ情報を綴じ代の長さであると限定することに格別の技術的意義はない。また、その奏する効果の程も当業者のみならず一般ユーザーの当初の予測の範囲内にあるから、引用例１に記載された発明に上記技術常識を適用して本願発明の如く構成することは、当業者が適宜なし得ることである。
　
（５）むすび
　以上のとおり、本願補正発明は、引用例１に記載された発明及び周知技術に基づいて当業者が容易に発明をすることができたものであるから、特許法第２９条第２項の規定により特許出願の際、独立して特許を受けることができるものではなく、特許法第１７条の２第５項で準用する同法１２６条第５項の規定に違反するものであるから、平成１７年１月２６日付けの手続補正は、特許法第１５９条第１項で準用する同法第５３条第１項の規定により却下すべきものである。
　
３．本願発明について
　平成１７年１月２６日付けの手続補正は、前記のとおり却下されるから、本願の特許請求の範囲の請求項１に係る発明（以下、「本願発明」という。）は、平成１６年１１月２９日付けの手続補正によって補正された特許請求の範囲の請求項１に記載された次のとおりのものである。
　
　「【請求項１】　シートに関する長さ情報を数値入力可能とする入力画面を表示する表示手段と、
　前記数値入力される長さ情報の単位系を異なる単位系に切り換え指示する指示手段と、
　前記指示手段による指示に基づいて前記表示手段に表示される入力画面を切り換え指示された単位系に応じた入力画面に切換え表示する制御手段と、を有することを特徴とする画像形成装置。」     
　
（１）引用例
　原審の拒絶の理由で引用された引用例及びその記載事項は、前記「２．（２）」項に記載したとおりである。
　
（２）対比・判断
　本願発明は、前記「２．（３）」項及び「２．（４）」項で検討した本願補正発明からその限定事項である
　「前記シートに関する長さ情報は、綴じ代の長さである」
を省いたものである。
　そうすると、本願発明を特定する事項をすべて含み、更に他の特定する事項を付加したものに相当する本願補正発明が、前記「２．（４）」項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は拒絶されるべきものである。
　よって、結論のとおり審決する。